(57)【要約】【課題】かご位置などによりメインロープにねじりが生じても問題なく給油でき、また給油装置の設置位置に制約を受けないことから設置作業や保守作業を安全に且つ効率よく行えるエレベータ装置を提供する。【解決手段】並列配置された複数本のワイヤロープから成るメインロープ２５への給油装置５０を有するエレベータ装置であって、給油装置５０は、内部に給油用のオイルが貯留されたタンク部５１及びこれに取り付けられた給油ヘッド５２を有する。給油ヘッド５２は、複数本のワイヤと接触可能な給油部材５６を有し、その接触によりタンク部５１内のオイルを複数のワイヤへ給油する。タンク部５１とその支持ブラケット５３との間にる追従機構５４を設け、タンク部及び給油ヘッド部５２を水平方向に沿って旋回可能に支持した。【選択図】図３
2015151250.tif 000002
【特許請求の範囲】
【請求項１】
並列配置された複数本のワイヤロープから成るメインロープへの給油装置を有するエレベータ装置であって、
前記給油装置は、
内部に給油用のオイルが貯留されたタンク部と、
前記タンク部に保持され、前記複数本のワイヤと接触可能な給油部材を有し、その接触により前記タンク部内のオイルを前記複数のワイヤへ給油する給油ヘッド部と、
前記タンク部を支持部材に取り付けるためのブラケットと、
このブラケットと前記タンク部との間に構成され、このタンクを水平方向に沿って旋回可能に支持する追従機構と、
を備えたことを特徴とするエレベータ装置。
【発明の詳細な説明】
【技術分野】
【０００１】
本発明の実施形態は、並列配置された複数本のワイヤロープから成るメインロープへの給油装置を有するエレベータ装置に関する。
【背景技術】
【０００２】
一般に、エレベータ装置は、建物内部に形成されたエレベータの昇降路内に乗りかごが昇降可能に設けられ、上部に設けられた巻上機のシーブに巻き掛けられたメインロープの一端側に吊支されている。このメインロープの他端側には釣合い重りが吊支されており、釣瓶状に構成されている。乗りかごは、巻上機によりシーブが回転することで、エレベータ利用者が指示した任意の階床に向かって昇降駆動される。
【０００３】
このようなエレベータ装置において、乗りかごを吊支するメインロープには潤滑用のオイルを常時給油する必要がある。この給油装置は、メインロープ設置場所近くに配置された給油タンク内のオイルを給油部材により、メインロープの表面に常時給油するように構成されている
【先行技術文献】
【特許文献】
【０００４】
【特許文献１】特開２０１０−３７０５２号公報
【発明の概要】
【発明が解決しようとする課題】
【０００５】
巻上げ機が昇降路上部に配置される場合、給油装置は、巻上げ機のメインシーブの付近に取り付けられる。この給油装置が取り付けられる設置場所は狭いことが多い。この場合、給油装置を取り付ける作業や保守作業は慎重に行う必要があり、作業性が悪い。
【０００６】
一方、エレベータは、その設置スペースが小さい空間に制限される場合が多い。この場合、巻上げ機のメインシーブ、乗りかごにあるかごシーブ、および釣合い錘に取り付けられるカウンタシーブは、各シーブの回転軸が互いに平行に配置されないことがある。この場合、メインロープには、偏角やフリートアングルが生じ、捩じられながら各シーブを移動する。
【０００７】
給油装置は、メインロープに効率よくオイルを供給するために、捩じられる度合いがなるべく小さい場所に設置する必要がある。このため給油装置は、他に設置可能な空間があっても、メインシーブ付近に取り付けられることが多い。給油装置の設置場所の制約は、エレベータの設置条件をより厳しくすることもある。
【０００８】
本発明が解決しようとする課題は、乗りかご位置などによりメインロープにねじりが生じても問題なく給油でき、また給油装置置の設位置に制約を受けないことから設置作業や保守作業を安全に且つ効率よく行えるエレベータ装置を提供することにある。
【課題を解決するための手段】
【０００９】
本発明の実施の形態に係るエレベータ装置は、並列配置された複数本のワイヤロープから成るメインロープへの給油装置を有するエレベータ装置であって、前記給油装置は、内部に給油用のオイルが貯留されたタンク部と、前記タンク部に保持され、前記複数本のワイヤと接触可能な給油部材を有し、その接触により前記タンク部内のオイルを前記複数のワイヤへ給油する給油ヘッド部と、前記タンク部を支持部材に取り付けるためのブラケットと、このブラケットと前記タンク部との間に構成され、このタンクを水平方向に沿って旋回可能に支持する追従機構とを備えたことを特徴とする。
【図面の簡単な説明】
【００１０】
【図１】本発明の一実施形態に係るエレベータ装置の概略上面図である。
【図２】図１のII−II矢視図である。
【図３】本発明の一実施形態の要部である給油装置を示す上面図である。
【図４】図３の正面図である。
【図５】図３で示した給油装置の追従動作を説明する図である。
【発明を実施するための形態】
【００１１】
以下、本発明の実施の形態について、図面を参照して詳細に説明する。
【００１２】
図１は、この実施の形態にかかるエレベータ装置のメインシーブ２０、乗りかご３０、釣合い錘４０等の位置関係を模式的に示す上面図であり、図２は、図１のII−II矢視の展開図である。
【００１３】
図１及び図２において、本実施の形態のエレベータ装置は、巻上げ機１と、この巻上げ機１に取り付けられたメインシーブ２０と、このメインシーブ２０に巻き掛けられたメインロープ２５と、このメインロープ２５に給油するための給油装置５０とを有する。メインロープ２５は、並列配置された複数本のワイヤロープで構成される。
【００１４】
また、このエレベータ装置は、昇降路３内に鉛直に配置されたかごレール３５に沿って上下移動する乗りかご３０と、昇降路３内に鉛直に配置されたカウンタレール４５に沿って上下移動する釣合い錘４０とを有する。
【００１５】
巻上げ機１は、駆動用モータを備え、昇降路３の上部に配置される。この巻上げ機１は、カウンタレール４５（図１に図示）の上に設けられた図示しない巻上げ機架台上に固定される。
【００１６】
メインシーブ２０は、巻上げ機１の駆動用モータに取り付けられている。このメインシーブ２０の外周面には、図示は省略するが、複数の溝が形成されている。この溝は、回転軸方向に互いに平行に配列され、メインロープ２５を構成する複数のワイヤロープが、それぞれ１本ずつ巻き掛けられている。メインシーブ２０が回転するときに、メインロープ２５はその長さ方向に移動する。この移動により、乗りかご３０及び釣合い錘４０が昇降路３内を相互に昇降する。このメインロープ２５の両端は、図２で示すように昇降路３の上部構造材に設けられた２つのロープ固定部５ａ、５ｂにそれぞれ固定される。
【００１７】
乗りかご３０の上部には２つのかごシーブ３１、３２が取り付けられている。これらかごシーブ３１、３２にメインロープ２５が掛けられて、昇降路３内に吊り下げられる。釣合い錘４０の上部には２つのカウンタシーブ４１、４２が取り付けられている。これらカウンタシーブ４１、４２にメインロープ２５が掛けられて、昇降路３内に吊り下げられる。
【００１８】
本実施の形態では、メインシーブ２０の回転軸と、かごシーブ３１、３２それぞれの回転軸とは、互いに平行に配置される。これに対して、メインシーブ２０の回転軸と、カウンタシーブ４１、４２それぞれの回転軸とは、所定の角度を有するように配置される。このため、メインロープ２５は、メインシーブ２０およびカウンタシーブ４１の間で捩じられる。
【００１９】
給油装置５０は、昇降路３側の支持部材（図示せず）に取り付けられており、メインシーブ２０およびカウンタシーブ４１の間にあるメインロープ２５へ給油する。この給油装置５０は、図３及び図４で示すように、タンク部５１、給油ヘッド部５２、ブラケット５３、及び追従機構５４を備えている。
【００２０】
タンク部５１は、内部に給油用のオイルが貯留されており、ブラケット５３により、前述のように昇降路３側の支持部材（図示せず）に取り付けられている。給油ヘッド部５２は、タンク部５１の上面側端部（図示右端部）に保持されており、その内部にはフェルト材などによる給油部材５６が設けられている。
【００２１】
この給油部材５６の一端部は、給油ヘッド部５２の、メインロープ２５が貫通する部分において、図３で示すようにメインロープ２５を構成する複数本のワイヤロープの外周面とそれぞれ接触可能な形状に形成されている。また、給油部材５６の他端部は、タンク部５１内に貯留されたオイル中に浸漬されている。そして、タンク部５１内のオイルを毛細管現象で吸い上げ、メインロープ２５との接触部まで移送する。メインロープ２５を構成する複数本のワイヤには、この給油部材５６との接触によりタンク部５１内のオイルが給油される。
【００２２】
追従機構５４は、タンク部５１を図示しない支持部材に取り付けるためのブラケット５３とタンク部５１との間に構成され、このタンク部５１を水平方向に沿って旋回させ、追従可能に支持する。すなわち、追従機構５４は、ブラケット５３の上面に植設された枢支軸を有する。タンク部５１は、この枢支軸を中心とする水平方向の旋回動作により追従可能となる。
【００２３】
次に、本実施の形態に係るエレベータ装置の動作を説明する。本実施の形態では、乗りかご３０が昇降路３の上方から下方に移動しているときに、メインロープ２５が給油される場合について説明する。
【００２４】
巻上げ機１の駆動用モータの回転に伴いメインシーブ２０が回転する。メインシーブ２０の回転によって、メインロープ２５がメインシーブ２０の溝上を移動する。メインシーブ２０が時計周りに回転するときに、乗りかご３０は下降する。
【００２５】
乗りかご３０が、図２で示すように釣合い錘４０よりも上方にある状態から下降すると、メインシーブ２０およびカウンタシーブ４１の間にあるメインロープ２５は、メインシーブ２０を図２で示す左方から右方に通り超えるように移動する。メインシーブ２０およびカウンタシーブ４１の間にあるメインロープ２５は、メインシーブ２０を通り超える前に給油装置５０で給油される。メインシーブ２０を通り超えた後に、メインロープ２５はかごシーブ３１に係合する。
【００２６】
メインシーブ２０の回転軸とカウンタシーブ４１の回転軸は、前述のように互いに平行ではないため、メインロープ２５は、メインシーブ２０およびカウンタシーブ４１の間で捩じられる。捩じられる度合いは、釣合い錘４０の上下方向位置に依存する。すなわち、メインシーブ２０およびカウンタシーブ４１の間にあるメインロープ２５の捩じられる度合いは、釣合い錘４０が下方から上方に行くに従って大きくなり、下方に行くに従って小さくなる。
【００２７】
給油装置５０は、上述したように、メインシーブ２０およびカウンタシーブ４１の間、すなわち、メインロープ２５が捩じられる位置で給油する。このため、給油ヘッド部５２内の、メインロープ２５が貫通する部分に設けられたフェルト材などによる給油部材５６には、図５（ｂ）で示すように、メインロープ２５が捩じられる方向に所定の力が作用する。この力は、メインシーブ２０およびカウンタシーブ４１の間にあるメインロープ２５の捩じられる度合いが大きくなるに従って大きくなる。この力は、乗りかご３０および釣合い錘４０が昇降しているときは、時々刻々と変化する。
【００２８】
この力は、フェルト材などによる給油部材５６に伝達された後に、この給油部材を収容している給油ヘッド部５２に伝達される。給油ヘッド部５２はタンク部５１に取り付けられ、タンク部５１は追従機構５４によりブラケット５３に対して水平方向に沿って旋回可能に支持されている。このため、タンク部５１及びこれに取り付けられている給油ヘッド部５２は、メインロープ２５の捩じられる度合いに応じた力により図５（ｃ）で示すように水平方向に旋回して追従する。
【００２９】
すなわち、メインシーブ２０およびカウンタシーブ４１の間のメインロープ２５の捩じられ度合いに応じて、タンク部５１及び給油ヘッド部５２は追従機構５４の枢支軸を中心に旋回動作し、図５（ａ）（ｂ）（ｃ）で示すように、メインロープ２５の捩じられ度合いに追従する。これにより、給油装置５０は、メインロープ２５の偏角やフリートアングル等に基づく捩じられる度合いに関わらず、複数のワイヤロープにより構成されるメインロープ２５に安定的に給油を行うことができる。
【００３０】
また、給油装置５０をメインロープ２５が捩じられる位置に配置しても安定的に給油できるため、メインシーブ２０よりも下方に給油装置５０を取り付けることができる。これにより、給油装置５０およびメインシーブ２０の間の空間を、作業領域として用いることができるため、給油装置５０に係る設置作業や保守作業を安全に且つ効率よく行うことも可能になる。
【００３１】
上記実施の形態では、ブラケット５３とタンク部５１との間に追従機構５４を設けたが、これに加えて、例えば、ブラケット５３とこれを支持する支持材との間に枢支軸を有する追従機構を設けるなど、必要に応じて種々変更しても構わない。
【００３２】
本発明の実施の形態を説明したが、この実施の形態は例として提示したものであり、発明の範囲を限定することは意図していない。この新規な実施の形態は、その他のさまざまな形態で実施されることが可能であり、発明の要旨を逸脱しない範囲で、種々の省略、置き換え、変更を行うことができる。この実施の形態やその変形は、発明の範囲や要旨に含まれると共に、特許請求の範囲に記載された発明とその均等の範囲に含まれる。
【符号の説明】
【００３３】
１…巻上機
２５…メインロープ
５０…給油装置
５１…タンク部
５２…給油ヘッド部
５３…ブラケット
５４…追従機構
５６…給油部材
【図１】
2015151250.tif 000003
【図２】
2015151250.tif 000004
【図３】
2015151250.tif 000005
【図４】
2015151250.tif 000006
【図５】
2015151250.tif 000007
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
並列配置された複数本のワイヤロープから成るメインロープへの給油装置を有するエレベータ装置であって、
前記給油装置は、
内部に給油用のオイルが貯留されたタンク部と、
前記タンク部に保持され、前記複数本のワイヤと接触可能な給油部材を有し、その接触により前記タンク部内のオイルを前記複数のワイヤへ給油する給油ヘッド部と、
前記タンク部を支持部材に取り付けるためのブラケットと、
このブラケットと前記タンク部との間に植接された枢支軸を有し、前記タンクを、前記枢支軸を中心に水平方向に沿って旋回可能に支持する追従機構と、
を備えたことを特徴とするエレベータ装置。
【手続補正２】
【補正対象書類名】明細書
【補正対象項目名】０００８
【補正方法】変更
【補正の内容】
【０００８】
本発明が解決しようとする課題は、乗りかご位置などによりメインロープにねじりが生じても問題なく給油でき、また給油装置置の設置位置に制約を受けないことから設置作業や保守作業を安全に且つ効率よく行えるエレベータ装置を提供することにある。
【手続補正３】
【補正対象書類名】明細書
【補正対象項目名】０００９
【補正方法】変更
【補正の内容】
【０００９】
本発明の実施の形態に係るエレベータ装置は、並列配置された複数本のワイヤロープから成るメインロープへの給油装置を有するエレベータ装置であって、前記給油装置は、内部に給油用のオイルが貯留されたタンク部と、前記タンク部に保持され、前記複数本のワイヤと接触可能な給油部材を有し、その接触により前記タンク部内のオイルを前記複数のワイヤへ給油する給油ヘッド部と、前記タンク部を支持部材に取り付けるためのブラケットと、このブラケットと前記タンク部との間に植接された枢支軸を有し、前記タンクを、前記枢支軸を中心に水平方向に沿って旋回可能に支持する追従機構とを備えたことを特徴とする。
【手続補正４】
【補正対象書類名】図面
【補正対象項目名】図５
【補正方法】変更
【補正の内容】
【図５】
2015151250.tif 000008